(57)【要約】【課題】信号用配線を通じて伝送される信号にノイズがのり難くなるようにすることが出来る、新規な構造のパチンコ機を提供することを、目的とする。【解決手段】電源用配線２６と信号用配線２８が並行に配されたパチンコ機１０において、電源用配線２６と信号用配線２８の少なくとも一方を蛇行させて波状に配することにより、電源用配線２６を流れる電流によって発生する磁界が信号用配線２８に対して斜めに交わるようにした。【選択図】図４
2007313086.tif 000002
【特許請求の範囲】
【請求項１】
電源用配線と信号用配線が並行に配されたパチンコ機において、
前記電源用配線と前記信号用配線の少なくとも一方を蛇行させて波状に配することにより、該電源用配線を流れる電流によって発生する磁界が該信号用配線に対して斜めに交わるようにしたことを特徴とするパチンコ機。
【請求項２】
前記電源用配線と前記信号用配線を前記パチンコ機に対して留める配線留め部材が所定距離を隔てて複数設けられており、かかる複数の配線留め部材を利用して該電源用配線と該信号用配線の少なくとも一方を蛇行させて波状に配するようにした請求項１に記載のパチンコ機。
【発明の詳細な説明】
【技術分野】
【０００１】
本発明は、電源用配線と信号用配線が並行に配されたパチンコ機に関するものである。
【背景技術】
【０００２】
従来から、パチンコ機においては、例えば、中枠が外枠に対して一軸回りに回動可能に組み付けられているように、一方の部材が他方の部材に対して一軸回りに回動可能に組み付けられていることが多い。
【０００３】
それ故、パチンコ機の裏側で、電源用配線や信号用配線が部材に固定されず、ぶら下がった状態であると、メンテナンス等の作業時に部材を回動せしめる際、電源用配線や信号用配線が邪魔になることがある。特に、パチンコ機は、パチンコ機が設置された遊技ホールの島設備に設けられたコンセントに、パチンコ機の裏側で、電源用配線が接続されることで、電力が供給されるようになっており、中枠等の部材を回動する時や、パチンコ機の裏側に設置される制御基板等の装着作業などを行う時に、電源用配線が邪魔にならないような電源用配線の取り回しが重要になってくる。
【０００４】
そこで、特許文献１に記載されているように、パチンコ機において回動可能に配設された部材の周囲に電源用配線と信号用配線を並べて配することが考えられる。
【０００５】
しかしながら、特許文献１に記載されているように、電源用配線と信号用配線を並べて配すると、電源用配線に交流電流が流れることによって発生する磁界の影響、即ち、通電によって発生する磁界が変化することによる影響が、信号用配線を通じて伝送される信号に及ぼされることとなり、その結果、信号用配線を通じて伝送される信号にノイズがのりやすくなるという問題があった。
【０００６】
なお、特許文献２には、パチンコ機に設けられた配線用樋に組み付けられる遮蔽部材によって配線用樋の内部が二つの領域に分けられており、これら二つの領域の一方に対して電源用配線を収納する一方、他方の領域に対して信号用配線を収納する遊技機の配線構造が記載されている。
【０００７】
しかしながら、特許文献２に記載されている遊技機の配線構造においては、配線用樋に遮蔽部材を組み付ける作業と、配線用樋に遮蔽部材を組み付けることで形成される二つの領域に電源用配線と信号用配線を分けて収納する作業を同時にしなければならず、かかる作業が面倒であるという問題があった。
【０００８】
【特許文献１】特開平７−２３６７５２号公報
【特許文献２】特開平１０−２７７２３９号公報
【発明の開示】
【発明が解決しようとする課題】
【０００９】
ここにおいて、本発明は、上述の如き事情を背景として為されたものであって、その解決課題とするところは、信号用配線を通じて伝送される信号にノイズがのり難くなるようにすることが出来る、新規な構造のパチンコ機を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。
【００１１】
本発明は、電源用配線と信号用配線が並行に配されたパチンコ機において、電源用配線と信号用配線の少なくとも一方を蛇行させて波状に配することにより、電源用配線を流れる電流によって発生する磁界が信号用配線に対して斜めに交わるようにしたことを、特徴とする。
【００１２】
このような本発明に従う構造とされたパチンコ機においては、電源用配線を流れる電流によって発生する磁界が信号用配線に対して斜めに交わるようになっていることから、電源用配線を電流が流れることで発生する磁界において信号用配線に対して垂直に交わる成分の大きさを小さくすることが可能となる。これにより、電源用配線を流れる電流が変化する場合、具体的には、例えば、電源用配線を交流電流が流れる場合において、通電により発生する磁界が変化することによる影響を、信号用配線を通じて伝送される電気信号が受け難いようにすることが可能となる。その結果、信号用配線を通じて伝送される電気信号に対してノイズがのり難いようにすることが可能となる。
【００１３】
なお、本発明において、電源用配線とは、パチンコ機が設置された遊技ホールの島設備に設けられたコンセントに接続される配線、即ち、パチンコ機と外部電源とを接続する配線のみならず、アース線も含むものとする。また、本発明において、信号用配線とは、パチンコ機の状態を検出する検出手段から出力される検出信号の伝送に用いられる配線のみならず、パチンコ機の遊技動作全体を制御する主制御回路からパチンコ機を構成する各種装置の作動を制御するサブ制御回路への制御信号の伝送に用いられる配線や複数のサブ制御回路間での制御信号の伝送に用いられる配線等も含む。
【００１４】
さらに、本発明では、蛇行して波状に配された配線が位置する平面に対して直交する方向の投影において、電源用配線と信号用配線が部分的に交わっていることが望ましい。そこにおいて、蛇行して波状に配された配線が位置する平面に対して直交する方向の投影で電源用配線と信号用配線が部分的に交わっている場合、蛇行して波状に配された一方の配線における全振幅の中間に他方の配線が位置せしめられていることが望ましい。これにより、電源用配線と信号用配線の配設スペースを有利に確保することが可能となる。
【００１５】
また、本発明において、蛇行して波状に配された配線の振幅は一定であっても良いし、一定でなくても良い。
【００１６】
更にまた、本発明では、電源用配線と信号用配線をパチンコ機に対して留める配線留め部材が所定距離を隔てて複数設けられており、かかる複数の配線留め部材を利用して電源用配線と信号用配線の少なくとも一方を蛇行させて波状に配することが望ましい。これにより、電源用配線と信号用配線の少なくとも一方を蛇行させて波状に配するために特別な部材を設ける必要がなくなる。その結果、パチンコ機において部品の数を少なくすることが可能となる。
【００１７】
また、上述の如く、所定距離を隔てて複数設けられた配線留め部材を利用して電源用配線と信号用配線の少なくとも一方を蛇行させて波状に配する場合、電源用配線と信号用配線を分ける作業を容易にすることが可能となる。その結果、電源用配線と信号用配線の少なくとも一方を蛇行させて波状に配する作業を容易にすることが可能となる。
【００１８】
そこにおいて、本発明の配線留め部材は、パチンコ機を構成する部品、例えば、賞球タンクや賞球レール，賞球払出機構等が取り付けられる機構盤に対して一体形成されていても良いし、別体形成されていても良い。
【発明を実施するための最良の形態】
【００１９】
以下、本発明を更に具体的に明らかにするために、本発明の実施形態について、図面を参照しつつ、詳細に説明する。
【００２０】
先ず、図１には、本発明の一実施形態としてのパチンコ機１０が示されている。このパチンコ機１０は、機体の外郭を為す外枠１２の開口前面側において、縦長方形の中枠１４が開閉及び着脱自在に組み付けられた構造とされている。また、中枠１４には、図示しない遊技領域が形成された遊技盤（図示せず）が着脱自在に組み付けられており、かかる遊技領域が、中枠１４に対して開閉可能に組み付けられたガラス枠１６によって保持されているガラス板を通して遊技者に視認されるようになっている。そして、中枠１４に設けられた操作ハンドル１８に対して回動可能に装着された操作レバー２０が遊技者に回動操作されることにより、中枠１４に設けられた上皿２２に貯留されている遊技球が、図示しない球送り機構を介して発射装置（図示せず）に送られた後、遊技領域に向けて発射されるようになっている。
【００２１】
このようなパチンコ機１０の裏側には、パチンコ機１０を構成する各種の部品、例えば、遊技領域に設けられた入賞装置に遊技球が入賞した場合に払い出される賞球が貯留される賞球タンク等が装着される機構盤２４が設けられている。この機構盤２４は、ＡＢＳ等の硬質の合成樹脂材料によって形成されており、図２及び図３に示されているように、全体として額縁形状を呈している。なお、図３では、後述する電源用配線２６や信号用配線２８，電源中継基板３０，配線留め部材３２，センターカバー３３の図示は省略してある。
【００２２】
このような機構盤２４は、本実施形態では、中枠１４の裏側に取り付けられるようになっており、かかる機構盤２４の中枠１４への取付状態で、機構盤２４に形成された開口部分に対して、中枠１４の裏側に装着された遊技盤に設けられている表示装置等が位置せしめられるようになっている。そして、中枠１４の裏側に装着された遊技盤に設けられている表示装置等は、機構盤２４に取り付けられるセンターカバー３３によって覆われるようになっている。
【００２３】
また、上述の如く、機構盤２４が中枠１４の裏側に取り付けられることにより、機構盤２４は、中枠１４と一体的に回動可能とされている。
【００２４】
そして、本実施形態では、このような額縁形状を呈する機構盤２４の縁の部分に対して、電源用配線２６と信号用配線２８が並行に配されている。因みに、本実施形態における信号用配線２８は、機構盤２４が中枠１４に取り付けられているか否かを検出すると共に、中枠１４に対してガラス枠１６が閉められているか否かを検出する中枠開放スイッチ（図示せず）等と、パチンコ機１０の状態をパチンコ機１０が設置されたホールの監視装置へ出力するための回路が形成された外部出力端子基板（図示せず）とを接続しており、それによって、中枠開放スイッチ等からの検出信号が信号用配線２８を通じて外部出力端子基板に形成された回路に伝送されるようになっている。なお、本実施形態では、かかる外部出力端子基板は、機構盤２４の裏側（図２における紙面の裏側）、即ち、中枠１４とは反対側において、後述する電源中継基板３０と平行に配置されるようになっている。また、本実施形態における電源用配線２６は、機構盤２４の裏側に取り付けられる電源ユニット（図示せず）と電源中継基板３０とを接続しており、交流電流が流れる電源コード、特に本実施形態では、ＡＣ２４Ｖ用の電源コードによって構成されている。そして、図面上では明示されていないが、電源中継基板３０は、パチンコ機１０が設置された遊技ホールの島設備に設けられたコンセントに対して電源コード（図示せず）によって接続されており、それによって、パチンコ機１０に電力が供給されるようになっている。
【００２５】
そこにおいて、本実施形態では、図４乃至図６に示されているように、機構盤２４に取り付けられることで電源用配線２６と信号用配線２８を機構盤２４に対して留める配線留め部材３２を利用して、電源用配線２６を蛇行させて波状に配するようになっている。
【００２６】
より詳細には、配線留め部材３２は、ＡＢＳ等の硬質の合成樹脂材料によって形成されており、図７乃至図９に示されているように、機構盤２４に取り付けられる取付部３４に対して取付部３４の軸直角方向に突出する腕部３６が一体形成された構造とされている。特に本実施形態では、全体として円筒形状とされた取付部３４の軸方向一端側において長手板状を呈する腕部３６が取付部３４の軸直角方向外方に突出するように一体形成されている。
【００２７】
また、本実施形態の配線留め部材３２の腕部３６には、一対の仕切片３８，３８が取付部３４の突出方向、即ち、取付部３４の中心軸線に沿って軸方向他方の側に突出するようにして一体形成されている。そこにおいて、本実施形態では、一対の仕切片３８，３８は、一方が腕部３６の突出端に位置せしめられており、他方が腕部３６の突出方向（長手方向）の中間部分に位置せしめられている。特に本実施形態では、一対の仕切片３８，３８は、それらの対向面が腕部３６の幅方向（突出方向に直交する方向）に沿って延びている。
【００２８】
このような構造とされた配線留め部材３２は、機構盤２４の表側、即ち、機構盤２４における中枠１４側に対して、所定の距離を隔てて複数設けられるようになっている。具体的には、本実施形態の場合、機構盤２４に突設された取付用突起４０に対して配線留め部材３２の取付部３４が外挿されて、取付用突起４０に形成されたねじ穴４２にねじ４４が螺挿されることにより、配線留め部材３２が機構盤２４に取り付けられるようになっている。
【００２９】
そこにおいて、本実施形態では、取付部３４に対して切欠４６が形成されており、上述の如く取付部３４が取付用突起４０に外挿された状態で、取付用突起４０に設けられた突出片４８が切欠４６内に位置せしめられるようになっている。これにより、ねじ穴４２にねじ４４を螺挿する際に取付部３４が取付用突起４０に対して回転してしまう不具合を有利に回避することが可能となる。その結果、ねじ穴４２にねじ４４を螺挿する作業を速やかに行うことが可能となる。
【００３０】
また、本実施形態では、上述の如く配線留め部材３２が機構盤２４に取り付けられた状態で、信号用配線２８は配線留め部材３２に設けられた一対の仕切片３８，３８の対向面間に位置せしめられるようにして機構盤２４に配されるようになっている。これにより、信号用配線２８は略真っ直ぐ延びるようにして機構盤２４に配されている。なお、本実施形態では、配線留め部材３２に設けられた一対の仕切片３８，３８の対向面間に二本の信号用配線２８が位置せしめられている。即ち、本実施形態では、二本の信号用配線２８をまとめて機構盤２４に留めるようになっているのである。
【００３１】
一方、電源用配線２６は、配線留め部材３２によって機構盤２４に留められた状態と留められていない状態、即ち、配線留め部材３２の腕部３６と機構盤２４の対向面間に位置せしめられている状態と配線留め部材３２の腕部３６を挟んで機構盤２４とは反対側に位置する状態とを交互に繰り返すようにして機構盤２４に配されるようになっている。これにより、電源用配線２６は、蛇行するようにして機構盤２４に配されるようになっている。
【００３２】
そこにおいて、本実施形態では、図４乃至図６に示す電源用配線２６は、配線留め部材３２の各腕部３６の位置で、波のピーク（Ｐ１，Ｐ２，Ｐ３）が形成されている。そして、図４に示すように、蛇行して配される電源用配線２６が位置する平面、即ち、三つのピーク（Ｐ１，Ｐ２，Ｐ３）を結ぶことによって形成される仮想の平面：Ｓ（図５及び図６参照）に対して、直交する方向での投影において、信号用配線２８は電源用配線２６が波打つ方向（図４における上下方向）の両端の間（Ｐ１又はＰ３と、Ｐ２の間）に位置せしめられている。これにより、本実施形態では、蛇行して配された電源用配線２６が位置する平面に対して直交する方向での投影において、信号用配線２８と電源用配線２６は部分的に重なるようになっている。
【００３３】
このような構造とされたパチンコ機１０においては、電源用配線２６が蛇行するように配されている一方、信号用配線２８が略真っ直ぐに延びるように配されていることから、電源用配線２６に電流が流れることで発生する磁界が信号用配線２８の殆どの部分において信号用配線２８に対して斜めに交わることとなる。これにより、電源用配線２６に交流電流が流れることに起因する発生磁界の変化に基づく悪影響が、信号用配線２８を通じて伝送される信号に対して、殆ど及ぼされないようにすることが可能となる。その結果、信号用配線２８を通じて伝送される信号にノイズがのり難くなるようにすることが可能となる。
【００３４】
また、電源用配線２６と信号用配線２８が中枠１４の裏側に取り付けられる機構盤２４の縁の部分に配されるようになっていることから、中枠１４の開閉作動に際して電源用配線２６と信号用配線２８が邪魔になることがない。
【００３５】
更にまた、本実施形態では、電源用配線２６と信号用配線２８を機構盤２４に留める配線留め部材３２を利用して電源用配線２６を蛇行させるようになっていることから、電源用配線２６を蛇行させるために特別な部材を用いる必要がなくなる。加えて、電源用配線２６と信号用配線２８を分けて機構盤２４に留める作業も、配線用樋に遮蔽部材を組み付ける際に電源配線と信号配線を分ける場合に比して、簡単に行うことが出来る。
【００３６】
以上、本発明の一実施形態について詳述してきたが、これはあくまでも例示であって、本発明の技術的思想は、直線状に延びる一方の配線が、隣接する他の配線から受ける磁界変化の影響を小さくするために、隣接する他の配線を蛇行させて配置し、更に、蛇行するように配置された他の配線に生じる正側のピーク（前記実施形態では、図４におけるＰ１やＰ３がこれに対応する）を、直線状に延びる一方の配線に対して直交する仮想線上に位置せしめると共に、蛇行するように配置された他の配線に生じる負側のピーク（前記実施形態では、図４におけるＰ２がこれに対応する）を、直線状に延びる一方の配線に対して直行する他の仮想線上に位置せしめることであり、本発明は、かかる実施形態における具体的な記載によって、何等、限定的に解釈されるものではない。
【００３７】
例えば、前記実施形態において、電源用配線２６の代わりに、信号用配線２８を蛇行させて波状に配するようにしても良い。また、前記実施形態において、信号用配線２８を、電源用配線２６とは逆になるように、即ち、位相が１８０度ずれるように蛇行させて波状に配するようにしても良い。更にまた、前記実施形態において、配線留め部材３２によって留められる信号用配線２８の数は一本であっても良いし、三本以上であっても良い。
【００３８】
さらに、配線留め部材は、前記実施形態の構造に限定されるものではなく、例えば、腕部３６の突出端側に位置せしめられた仕切片３８がない構造の配線留め部材を採用することも可能である。また、前記実施形態において、取付部３４に形成されていた切欠４６は、必ずしも必要なものではない。更にまた、配線留め部材は機構盤に一体形成されていても良い、
【００３９】
また、電源用配線２６と信号用配線２８は、機構盤２４を介さずに、中枠１４に対して直接に配されるようになっていても良い。
【００４０】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００４１】
【図１】本発明の一実施形態のパチンコ機を示す正面図。
【図２】同パチンコ機の裏側に取り付けられた機構盤を示す正面図。
【図３】同機構盤の斜視図。
【図４】電源用配線と信号用配線が配された状態を説明するための側面図。
【図５】図４におけるＶ−Ｖ断面図。
【図６】図４におけるＶＩ−ＶＩ断面図。
【図７】配線留め部材の斜視図。
【図８】配線留め部材の側面図。
【図９】配線留め部材の裏面図。
【符号の説明】
【００４２】
１０：パチンコ機，２６：電源用配線，２８：信号用配線
【図１】
2007313086.tif 000003
【図２】
2007313086.tif 000004
【図３】
2007313086.tif 000005
【図４】
2007313086.tif 000006
【図５】
2007313086.tif 000007
【図６】
2007313086.tif 000008
【図７】
2007313086.tif 000009
【図８】
2007313086.tif 000010
【図９】
2007313086.tif 000011